【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
インプット・マイクロチャネルと、
ｍ個の配流マイクロチャネルのセット（ｍ≧２）と、
前記ｍ個の配流マイクロチャネルのセットとそれぞれ流体連通しているｍ個のマイクロ流体モジュールのセットと、
ｍ個のノードのセットであって、前記ｍ個のノードのセットの１つ以上は、前記インプット・マイクロチャネルから分岐し、前記インプット・マイクロチャネルから前記ノードが分岐する前記ｍ個の配流マイクロチャネルのセットのそれぞれ１つへの流体連通を確実にするために、前記ｍ個の配流マイクロチャネルのセットのそれぞれ１つにさらに分岐する、前記ノードのセットと、
を含むマイクロ流体デバイスであって、
前記ｍ個のノードのセットの一部であるサブセットが、前記ｍ個のノードのセットの残りのノードに比べ変更され、これにより、作動において、前記ｍ個のノードのセット中の前記ノードが、前記インプット・マイクロチャネル中に導入された液体が前記ｍ個のマイクロ流体モジュールのセットの１つ以上を通過する程度が異なる液体ピンニング力に基づいて変わるように、前記異なる液体ピンニング力を有する、
マイクロ流体デバイス。
【請求項２】
前記ｍ個のノードのセットの前記サブセットが、前記ｍ個のノードのセットの残りのノードと比べ変更され、前記ｍ個のノードのセットの前記１つ以上が、液体をそのノードに停止するか、もしくはそれを通って液体を通り過けさせる、
請求項１に記載のマイクロ流体デバイス。
【請求項３】
前記ｍ個のノードのセットがｍ個のノードの第一セットであり、前記ｍ個のノードの第一セットの１つ以上が、前記インプット・マイクロチャネルから分岐し、
前記マイクロ流体デバイスが、
ｍ個のアウトプット・マイクロチャネルのセットであって、前記ｍ個のアウトプット・マイクロチャネルのセットの１つ以上が、前記ｍ個のマイクロ流体モジュールのセットのそれぞれの１つ以上のアウトプットに連結する、前記アウトプット・マイクロチャネルのセットと、
各ｍ個のノードのｍ個の追加セットであって、これによって、前記マイクロ流体デバイスは少なくともｍ個のノードのｍ＋１個のセットを含む、前記追加セットと、
をさらに含み、
前記ｍ個のアウトプット・マイクロチャネルのセットの前記１つ以上が、ｍ個のノードの前記ｍ個の追加セットのそれぞれ１つ以上の前記ｍ個のノードのセットのそれぞれ１つ以上に分岐し、
ｍ個のノードの前記ｍ個の追加セットの前記それぞれ１つ以上、ｍ個のノードの前記ｍ個の追加セットの前記それぞれ１つ以上のｍ個のノードは、前記ｍ個の配流マイクロチャネルのセットのそれぞれ１つに分岐し、
前記ｍ個のノードの前記ｍ個の追加セットの前記それぞれ１つ以上の前記ｍ個のノード一部であるサブセットが、前記ｍ個のノードのセットの残りのノードに比べ変更され、これにより、作動において、前記ｍ個のノードのセット中の前記ノードは、前記インプット・マイクロチャネル中に導入された液体が前記ｍ個のマイクロ流体モジュールのセットの１つ以上を通過する前記程度が、前記ｍ個のノードの前記第一セットおよびｍ個のノードの前記ｍ個の追加セットのそれぞれ１つ以上の、異なる液体ピンニング力に基づいて変わるように、前記異なる液体ピンニング力を有する、
請求項１に記載のマイクロ流体デバイス。
【請求項４】
前記ｍ個のノードのセットの前記１つ以上が、液体をそのノードに停止するか、もしくはそれを通って液体を通過させるように設定される、
請求項３に記載のマイクロ流体デバイス。
【請求項５】
ｍ個のノードの前記ｍ個の追加セットの前記それぞれ１つ以上、および前記ｍ個の配流マイクロチャネルのセットの前記それぞれ１つが、前記ｍ個のマイクロ流体モジュールのセットの１つ以上によって排出された液体を、前記液体がその後に前記ｍ個のマイクロ流体モジュールのセットの同じ１つ以上に再浸入するのを効果的に阻止するように構成される、
請求項４に記載のマイクロ流体デバイス。
【請求項６】
ｍ個のノードの前記ｍ＋１個のセットが、クロスバ・スイッチ構成で、ｍ×（ｍ＋１）個のノードのアレイに配置される、
請求項３に記載のマイクロ流体デバイス。
【請求項７】
前記マイクロ流体デバイスが、第一レベルおよび第二レベルを含む、別個の平行なレベルを含み、
前記インプット・マイクロチャネルおよび前記ｍ個のアウトプット・マイクロチャネルのセットの両方が前記第一レベル上に画定され、一方、前記ｍ個の配流マイクロチャネルのセットは前記第二レベルに画定される、
請求項６に記載のマイクロ流体デバイス。
【請求項８】
ｍ個のノードの前記ｍ＋１個のセットの前記ノードの少なくともサブセットが、各々、
前記第一レベル上に形成されたキャビティであって、前記キャビティは上部側がオープンである、前記キャビティと、
前記第一レベル上の取入れポートであって、前記取入れポートは、前記インプット・マイクロチャネル、または前記ｍ個のアウトプット・マイクロチャネルのセットの１つから分岐し、前記キャビティの進入部を介して前記キャビティと連通している、前記取入れポートと、
前記第二レベル上の前記ｍ個の配流マイクロチャネルのセットの１つに分岐している放出ポートと、
前記キャビティが前記放出ポートと連通するために、前記キャビティから前記放出ポートに延びているビアと、
を含み、
前記キャビティは、前記取入れポートを満たした水性液体が、前記放出ポートに到達するのを阻止するように構成された液体遮断素子を含む、
請求項７に記載のマイクロ流体デバイス。
【請求項９】
前記ビアが、前記キャビティの底部側から下方に前記放出ポートへ、前記第一レベルと前記第二レベルとの間の前記マイクロ流体デバイスの第三レベル上に延び、前記キャビティの前記底部側は前記キャビティの上部側の反対側である、
請求項８に記載のマイクロ流体デバイス。
【請求項１０】
前記液体遮断素子は、前記キャビティの前記進入部に形成された液体ピンニング構造体であり、前記ピンニング構造体は、前記キャビティの前記進入部で前記水性液体の充填最前部を阻止するように構成される、
請求項８に記載のマイクロ流体デバイス。
【請求項１１】
前記液体ピンニング構造体は、前記キャビティの開き角θ１で形成され、前記開き角が６０°〜１６０°の間である、
請求項１０に記載のマイクロ流体デバイス。
【請求項１２】
前記キャビティの前記進入部は、前記キャビティの深さより小さな幅を有し、
前記進入部の各々の側の前記キャビティの壁は、前記幅に相当するギャップによって隔てられており、前記壁は、前記キャビティ中に２つの対向する開き角θ１を形成し、前記開き角は、それぞれ６０°〜１６０°の間である、
請求項１１に記載のマイクロ流体デバイス。
【請求項１３】
前記キャビティが、前記液体ピンニング構造体に関わらず、前記取入れポートを満たした前記水性液体が前記放出ポートに到達することを可能にするために、前記液体ピンニング構造体に配置された浸潤材料を含む、
請求項１０に記載のマイクロ流体デバイス。
【請求項１４】
前記液体遮断素子は、前記キャビティ中に配置された変更可能な素子であるか、または、前記キャビティの前記上部側の反対側の前記キャビティの底部側のシーリングである、
請求項８に記載のマイクロ流体デバイス。
【請求項１５】
ノードの同じセットの２つのノードの取入れポートが異なる流体力学的抵抗を有する、
請求項８に記載のマイクロ流体デバイス。
【請求項１６】
前記放出ポートが、前記放出ポートによって分岐された前記ｍ個の配流マイクロチャネルのセット中の、水性液体が前記ビアに到達するのを阻止するために、流体フロー絞りバルブを含む、
請求項８に記載のマイクロ流体デバイス。
【請求項１７】
前記放出ポートは、接合部のレベルで前記ｍ個の配流マイクロチャネルのセットの前記それぞれ１つに分岐し、前記ｍ個の配流マイクロチャネルのセットの前記それぞれ１つが、前記放出ポートを通して排出される水性液体を前記接合部の前記レベルで１つの側から前記接合部の前記レベルでその反対側に延びる方向に向けさせるために、前記接合部の前記レベルで前記１つの側に流体フロー絞りバルブを含む
請求項８に記載のマイクロ流体デバイス。
【請求項１８】
前記接合部の前記レベルの１つの側の前記流体フロー絞りバルブは、前記ｍ個の配流マイクロチャネルのセットの前記それぞれ１つの、第一セクションおよび第二セクションによって形成され、
前記第一セクションはテーパー状にされ前記第二セクションに導かれ、前記第二セクションは、前記第二セクション中に開き角θ２を設けるために、前記第一セクションより大きな平均直径を有し、この角度は６０°〜１６０°の間である、
請求項１７に記載のマイクロ流体デバイス。
【請求項１９】
前記インプット・マイクロチャネルと、前記ｍ個の配流マイクロチャネルのセットの前記１つ以上と、前記ｍ個のアウトプット・マイクロチャネルのセットの前記１つ以上とが、１０〜１００μｍの間の深さを有し、
前記インプット・マイクロチャネルと、前記ｍ個の配流マイクロチャネルのセットの前記１つ以上と、前記取入れポートとが、同じ深さを有し、
前記取入れポートが、５〜５０μｍの間の幅を有し、且つ
前記ビアが、前記第二レベルから前記第一レベルの中央プレーンに平行に測定して、２５〜２００μｍの間の平均直径を有する、
請求項１５に記載のマイクロ流体デバイス。
【請求項２０】
前記マイクロ流体デバイスが少なくとも２つの層を含み、
前記インプット・マイクロチャネルと、前記ｍ個のアウトプット・マイクロチャネルのセットの前記１つ以上と、前記キャビティと、前記取入れポートとが、全て、前記少なくとも２つの層の第一層中に形成され、一方、前記ｍ個の配流マイクロチャネルのセットの前記１つ以上は、前記少なくとも２つの層の第二層に形成される、
請求項８に記載のマイクロ流体デバイス。
【請求項２１】
前記ビアが、前記少なくとも２つの層の前記第一層と前記少なくとも２つの層の前記第二層との間の、前記マイクロ流体デバイスの中間層の中に形成される、
請求項２０に記載のマイクロ流体デバイス。
【請求項２２】
前記ｍ個のマイクロ流体モジュールのセットが、
光学的検出を可能にするための光学的検出チャンバと、
流体混合チャンバおよび反応チャンバの一方または両方と、
を含む、請求項１に記載のマイクロ流体デバイス。
【請求項２３】
ｍ≧３である、前記ｍ個のマイクロ流体モジュールのセットの各々が、
光学的検出モジュール中の検体の光学的検出を可能にするため、前記マイクロ流体デバイス中に構成された前記光学的検出モジュールと、
１つ以上の流体混合モジュールと、
反応モジュールと、
を含む、請求項１に記載のマイクロ流体デバイス。
【請求項２４】
インプット・マイクロチャネルと、
少なくとも２つのマイクロ流体モジュールと、
前記インプット・マイクロチャネルを少なくとも２つのマイクロ流体モジュールに連結している、少なくとも２つのノードの第一セットと、
前記少なくとも２つのマイクロ流体モジュールのそれぞれ２つの順序対を連結している、少なくとも２つのノードの第二セットと、
を含むマイクロ流体デバイスであって、
前記少なくとも２つのノードの第一セットおよび前記少なくとも２つのノードの第二セットの各々のノードのサブセットが、前記第一セットおよび前記第二セットの残りのノードに比べ変更され、
前記少なくとも２つのノードの第一セットおよび前記少なくとも２つのノードの第二セット中の前記ノードのサブセットが異なる液体ピンニング力を有し、作動において、前記インプット・マイクロチャネルに導入された液体が、前記少なくとも２つのマイクロ流体モジュールの２つの前記それぞれの順序対を通過する程度は、前記異なる液体ピンニング力に基づいて変わる、
マイクロ流体デバイス。
【請求項２５】
マイクロ流体デバイスをプログラムする方法であって、
マイクロ流体デバイスを用意するステップであって、前記マイクロ流体デバイスが、
インプット・マイクロチャネルと、
ｍ個の配流マイクロチャネルのセット（ｍ≧２）と、
前記ｍ個の配流マイクロチャネルのセットとそれぞれ流体連通しているｍ個のマイクロ流体モジュールのセットと、
前記インプット・マイクロチャネルから分岐し、前記インプット・マイクロチャネルからノードが分岐する前記ｍ個の配流マイクロチャネルのセットへの流体連通を確実にするために、前記ｍ個の配流マイクロチャネルのセットの１つの配流マイクロチャネルにさらに分岐する、ｍ個のノードのセットと、
を含む、前記用意するステップ、および
作動において、前記インプット・マイクロチャネルに導入された液体が前記ｍ個のマイクロ流体モジュールのセットの１つ以上に到達する程度が、異なる液体ピンニング力に基づいて変わるように、前記ｍ個のノードのセットが前記異なる液体ピンニング力を有するように、前記ｍ個のノードのセットの一部であるサブセットを変更するステップ、
を含む、方法。